(57)【要約】【課題】パワーグランド用及びシグナルグランド用として共通に使用されるグランド用ピンを有するコネクタによりカメラ側回路とレンズ側回路とを接続するシステムにおいて、グランド用ピンを１点接地用の接続点とし、大電流が流れるパワーグランドと制御信号等の小電流回路の基準となるシグナルグランドのそれぞれをグランド用コネクタピンから引き出すことにより、パワーグランドに大電流が流れた際にもシグナルグランドは影響を受けず、制御信号等の値をカメラ側回路とレンズ側回路とで正確にやり取りできるようにしたカメラ−レンズシステムを提供する。【解決手段】コネクタ１４のグランド用ピンＰ５を接地し、カメラ側回路１０のシグナルグランドラインＬ１、レンズ側回路１２のシグナルグランドラインＬ３パワーグランドラインＬ６をグランド用ピンＰ５に接続する。【選択図】　　　図１
2004144959.tif 000002
【特許請求の範囲】
【請求項１】
パワーグランド用及びシグナルグランド用として共通に使用されるグランド用ピンを有するコネクタによりカメラ側回路とレンズ側回路とを接続するカメラ−レンズシステムにおいて、
前記グランド用ピンをパワーグランド及びシグナルグランドの１点接地用の接続点とすることを特徴とするカメラ−レンズシステム。
【発明の詳細な説明】
【０００１】
【発明の属する技術分野】
本発明はカメラ−レンズシステムに係り、特に単一のグランド用ピンを有するコネクタによりカメラ側回路とレンズ側回路とを接続するカメラ−レンズシステムに関する。
【０００２】
【従来の技術】
例えば、テレビ放送用として使用されるポータブルタイプのカメラ及びレンズでは、カメラ側回路とレンズ側回路とを電気的インターフェース（コネクタ）により接続することにより、レンズ側回路の電源がカメラ側回路から供給され、また、各種信号がカメラ側回路とレンズ側回路との間で伝送されるようになっている（例えば、特許文献１、２参照）。
【０００３】
【特許文献１】
特開平１０−６５９４１号公報
【０００４】
【特許文献２】
特開２０００−６６２８８号公報
【０００５】
【発明が解決しようとする課題】
ところで、ポータブルタイプの場合、小型化のためにカメラ側回路とレンズ側回路とを接続するコネクタのピン数に制限があり、一般にコネクタにはグランド用ピンが１つだけ設けられ、グランドラインが１本となる場合が多い。即ち、ポータブルタイプの場合のコネクタには、モータ等の大電流が流れるパワーグランド用のピンと、制御信号などの小電流回路の基準となるシグナルグランド用のピンとが別々に設けられていない。
【０００６】
この場合、例えば、レンズ側回路のモータなどで多くの電流を消費する際に、その電流がグランドラインを流れてグランドラインに電圧降下が生じ、カメラ側回路のグランドとレンズ側回路のグランドとの間に電位差が生じる。そして、グランドラインを流れる電流は変動するため、グランド間の電位差も変動する。このため、グランドを基準の電位とする制御信号の電圧値も変動して、カメラ側回路から出力された制御信号の電圧値をレンズ側回路で正確に得ることができないという問題があった。
【０００７】
本発明はこのような事情に鑑みてなされたもので、パワーグランド用とシグナルグランド用として共通に使用されるグランド用ピンを有するコネクタによりカメラ側回路とレンズ側回路とを接続する場合に、カメラ側回路とレンズ側回路との間で制御信号等の値を正確にやり取りできるようにしたカメラ−レンズシステムを提供することを目的とする。
【０００８】
【課題を解決するための手段】
前記目的を達成するために、請求項１に記載の発明は、パワーグランド用及びシグナルグランド用として共通に使用されるグランド用ピンを有するコネクタによりカメラ側回路とレンズ側回路とを接続するカメラ−レンズシステムにおいて、前記グランド用ピンをパワーグランド及びシグナルグランドの１点接地用の接続点とすることを特徴ととしている。
【０００９】
本発明によれば、パワーグランド用及びシグナルグランド用として共通に使用されるグランド用ピンを１点接地（１点アース）用の接続点とし、大電流が流れるパワーグランドと制御信号等の小電流回路の基準となるシグナルグランドのそれぞれをグランド用コネクタピンから引き出すようにしたため、パワーグランドに大電流が流れた際にもシグナルグランドは影響を受けず、制御信号等の値をカメラ側回路とレンズ側回路とで正確にやり取りすることができるようになる。
【００１０】
【発明の実施の形態】
以下添付図面に従って本発明に係るカメラ−レンズシステムの好ましい実施の形態について詳述する。
【００１１】
図１は、例えば、テレビ放送用のポータブルタイプのテレビカメラシステムにおいて本発明を適用した場合の概略構成を示した図である。テレビカメラは、一般に、撮像素子や回路部品を搭載したカメラ本体（単にカメラという）と、撮影レンズや撮影レンズの一部を構成する移動レンズをモータ駆動するための回路等を搭載したレンズ装置（単にレンズという）とが着脱可能となっており、同図に示すようにカメラに搭載された回路（カメラ側回路１０）と、レンズに搭載された回路（レンズ側回路１２）とは、コネクタ１４により接続される。そして、例えば、カメラ側回路１０からレンズ側回路１２に電源が供給され、また、カメラ側回路１０とレンズ側回路１２との間で各種信号のやり取りが行われるようになっている。
【００１２】
同図に示すようにコネクタ１４には、電源や各種信号を伝送するための複数のピンＰ１、Ｐ２、…が設けられており、特に、グランド用ピンＰ５が１つだけ設けられている。このグランド用ピンＰ５はカメラ側回路１０及びレンズ側回路１２の１点接地用の接続点として接地されている。
【００１３】
また、同図のカメラ側回路１０及びレンズ側回路１２には、カメラ側回路１０から出力される制御信号に従って、移動レンズ等を駆動するモータ１６を制御する回路が簡略化して示されており、カメラ側回路１０には制御信号発生回路１８等が搭載されている。その制御信号発生回路１８のシグナルグランドラインＬ１はコネクタ１４のグランド用ピンＰ５に接続され、信号ラインＬ２は例えばコネクタ１４のピンＰ２に接続される。従って、グランド用ピンＰ５の電位を基準とした電圧の制御信号がコネクタ１４のピンＰ２からレンズ側回路１２に出力される。
【００１４】
レンズ側回路１２には、上記モータ１６やモータ１６に駆動電圧を印加するアンプ２０等が搭載されている。アンプ２０のシグナルグランドラインＬ３はコネクタ１４のグランド用ピンＰ５に接続され、信号ラインＬ４はコネクタ１４の上記ピンＰ２に接続される。従って、グランド用ピンＰ５の電位を基準とした電圧の制御信号がピンＰ２から信号ラインＬ４を通じてアンプ２０に入力される。アンプ２０はその制御信号の電圧に応じた駆動電圧を出力ラインＬ５を通じてモータ１６に印加する。これによりモータ１６の回転速度等が制御信号に従って制御される。
【００１５】
一方、モータ１６のパワーグランドラインＬ６はコネクタ１４のグランド用ピンＰ５に接続され、モータ１６に流れた電流はこのパワーグランドラインＬ６を流れるようになっている。
【００１６】
このようにコネクタ１４のグランド用ピンＰ５を１点接地用の接続点とし、カメラ側回路１０及びレンズ側回路１２のシグナルグランドやパワーグランドを１点接地することにより、パワーグランドにモータ等の大電流が流れた場合であってもカメラ側回路１０とレンズ側回路１２のシグナルグランドに電位差が生じることはなく、カメラ側回路１０とレンズ側回路１２との間で制御信号等の電圧値を正確にやり取りすることができる。
【００１７】
尚、上記実施の形態では、コネクタにパワーグランド用とシグナルグランド用のグランド用ピンが１つだけ設けられている場合について説明したが、電流容量を大きくする目的でコネクタに複数の電源ピン（複数のグランド用ピン）が設けられ、それらのグランド用ピンがパワーグランド用とシグナルグランド用とに区別されることなく共通のグランド用ピンとして使用される場合にも、複数のグランド用ピンを１点接地用の接続点とすることで本発明を適用でき、上記実施の形態と同様の効果が得られる。
【００１８】
また、上記実施の形態では、テレビカメラシステムに本発明を適用した場合について説明したが、本発明は、テレビカメラシステム以外のシステムでカメラとレンズとをコネクタで接続すると共に、コネクタにパワーグランド用とシグナルグランド用として共通に使用されるグランド用ピンが設けられている場合に適用できる。
【００１９】
また、上記実施の形態では、パワーグランドとシグナルグランドとを１点接地するようにしたが、デジタル回路用のグランドとアナログ回路用のグランドとを上記実施の形態と同様にコネクタのグランド用ピンで１点接地すると効果的である。
【００２０】
【発明の効果】
以上説明したように本発明に係るカメラ−レンズシステムによれば、パワーグランド用及びシグナルグランド用として共通に使用されるグランド用ピンを１点接地（１点アース）用の接続点とし、大電流が流れるパワーグランドと制御信号等の小電流回路の基準となるシグナルグランドのそれぞれをグランド用コネクタピンから引き出すようにしたため、パワーグランドに大電流が流れた際にもシグナルグランドは影響を受けず、制御信号等の値をカメラ側回路とレンズ側回路とで正確にやり取りすることができるようになる。
【図面の簡単な説明】
【図１】図１は、テレビ放送用のポータブルタイプのテレビカメラシステムにおいて本発明を適用した場合の概略構成を示した図である。
【符号の説明】
１０…カメラ側回路、１２…レンズ側回路、１４…コネクタ、１６…モータ、１８…制御信号発生回路、２０…アンプ、Ｐ１〜Ｐ５…ピン、Ｐ５…グランド用ピン、Ｌ１、Ｌ３…シグナルグランドライン、Ｌ２、Ｌ４…信号ライン、Ｌ５…出力ライン、Ｌ６…パワーグランドライン
【図１】
2004144959.tif 000003